(57)【要約】      （修正有）【課題】通信装置のログアウト操作の煩わしさを低減する技術を提供する。【解決手段】固定ＩＰ電話機１−１〜１−ｎまたは無線ＩＰ電話機２−１〜２−ｎは、ログイン時に、ログインしたユーザのユーザ名とログイン時のログイン形態を含むログイン情報をＬＡＮ上に同報送信する。また、固定ＩＰ電話機または無線ＩＰ電話機は、ログイン情報を受信した場合に、このログイン情報に含まれているユーザ名およびログイン形態と自通信装置に現在ログイン中のユーザ名およびログイン形態を対比し、ユーザ名が一致すると共にログイン形態が不一致であったならば、現在のログインしている状態を強制的にログアウトさせる。【選択図】図１
2017199945.tif 000002
【特許請求の範囲】
【請求項１】
自装置を操作するユーザに、デフォルトの形態である第１の形態または前記デフォルトの形態ではない第２の形態でログイン／ログアウトさせる機能を備えた通信装置であって、
前記ユーザがログインすると、当該ログインしたユーザのユーザ名およびログイン時のログイン形態が前記第１の形態または第２の形態のいずれであるか含むログイン情報を抽出するログイン情報抽出手段と、前記抽出したログイン情報を所定の宛先へ送信するログイン情報送信手段と、前記ログイン情報を他通信装置から受信するログイン情報受信手段と、を有し、
前記第２の形態でログインされている状態で、他通信装置からログイン情報を受信した場合に、前記受信したログイン情報からユーザ名およびログイン形態に係る情報を抽出し、前記抽出したユーザ名およびログイン形態と自通信装置に現在ログインしているユーザ名およびログイン形態を対比し、ユーザ名が一致すると共にログイン形態が前記第１の形態であったならば、現在のログインしている状態を強制的にログアウトさせることを特徴とする強制ログアウト機能を有する通信装置。
【請求項２】
請求項１に記載の通信装置であって、
前記ユーザが自通信装置にログイン中に自通信装置の操作に基づいて処理した処理内容と、自通信装置にログイン中のユーザのユーザ名と、前記第１のログイン形態または前記第２のログイン形態のいずれかのログイン形態と対応付けて処理内容一覧として記憶する処理内容一覧記憶手段と、
前記記憶済みの処理内容一覧を、前記ログイン情報を送信した他通信装置に送信する処理内容一覧送信手段と、前記処理内容一覧を他通信装置から受信する処理内容一覧受信手段と、をさらに有し、
前記第２の形態でログインされている状態で、他通信装置からログイン情報を受信した場合に、前記受信したログイン情報からユーザ名およびログイン形態に係る情報を抽出し、前記抽出したユーザ名およびログイン形態と自装置に現在ログインしているユーザ名およびログイン形態を対比し、ユーザ名が一致すると共にログイン形態が一致したならば、自通信装置にログイン中のユーザのユーザ名と、現在ログインしているログイン形態とに対応付けられている前記処理内容一覧を、前記ログイン情報を送信した他通信装置に送信し、現在のログインしている状態を強制的にログアウトさせることを特徴とする強制ログアウト機能を有する通信装置。
【請求項３】
請求項１および請求項２に記載の通信装置であって、
前記処理内容一覧を受信する処理内容一覧受信手段と、をさらに有し、
前記ログイン情報を送信した後に、他通信装置から前記処理内容一覧を受信した場合に、自通信装置に記憶済みの前記処理内容一覧と比較し、自通信装置に記憶済みの前記処理内容一覧に含まれていない処理内容を実行することを特徴とする強制ログアウト機能を有する通信装置。
【請求項４】
請求項１および請求項２に記載の通信装置であって、
前記第２の形態でログインされている状態で、他通信装置からログイン情報を受信した場合に、前記受信したログイン情報からユーザ名およびログイン形態に係る情報を抽出し、前記抽出したユーザ名およびログイン形態と自装置に現在ログインしているユーザ名およびログイン形態を対比し、ユーザ名が一致せず、ログイン形態が一致したならば、現在のログインしている状態を強制的にログアウトさせずに、前記ログイン情報に含まれるユーザ名に該当するユーザが他通信装置にログインしたことを表示することを特徴とする強制ログアウト機能を有する通信装置。
【発明の詳細な説明】
【技術分野】
【０００１】
本発明は、ログイン／ログアウト機能を備えた通信装置に関し、特に通信装置のログアウト制御技術に関する。
【背景技術】
【０００２】
従来、ログイン／ログアウト機能を備えた通信装置において、ユーザは、予め設定してあるユーザのアカウント情報を用いてこの通信装置にログインすることにより、この通信装置が提供する各種サービスを利用可能となる。ここで、ユーザが、作業を終えて通信装置から離れる際に、通信装置に対するログアウト操作を忘れると、ユーザ以外の第三者も通信装置が提供する各種サービスを利用可能となってしまう。
特許文献１には、上記問題を解決するため、ユーザ毎に所定の時間経過後に自動ログアウトする装置が開示されている。この装置では、ユーザ毎に、ログイン／ログアウトの操作状況を統計処理して、この統計値に基づき自動ログアウトまでのタイムアウト時間を最適な値に設定する。
【先行技術文献】
【特許文献】
【０００３】
【特許文献１】特開２００９−１８１２５２号公報
【発明の概要】
【発明が解決しようとする課題】
【０００４】
ところで、来客、臨時会議、電話対応等の突発的な事情を含む各種の中断事由によって作業を中断した場合において、その後、外出などの理由により、作業中断前に使用していた装置での作業を中断したことを忘れたまま、プライベート用の通信装置を使用することがある。この場合、特許文献１に記載の技術によれば、ユーザは、作業中断前に使用していた装置が自動ログアウト前ならば、悪用防止のためにこの通信装置のログオフ操作を速やかに実行しなければならず、面倒である。
【０００５】
本発明は上記事情に鑑みてなされたものであり、その課題は、通信装置のログアウト操作の煩わしさを低減することができる技術を提供することにある。
【課題を解決するための手段】
【０００６】
上記課題を解決するために、自装置を操作するユーザに、デフォルトの形態である第１の形態または前記デフォルトの形態ではない第２の形態でログイン／ログアウトさせる機能を備えた通信装置であって、前記ユーザがログインすると、当該ログインしたユーザのユーザ名およびログイン時のログイン形態が前記第１の形態または第２の形態のいずれであるか含むログイン情報を抽出するログイン情報抽出手段と、前記抽出したログイン情報を所定の宛先へ送信するログイン情報送信手段と、前記ログイン情報を他通信装置から受信するログイン情報受信手段と、を有し、前記第２の形態でログインされている状態で、他通信装置からログイン情報を受信した場合に、前記受信したログイン情報からユーザ名およびログイン形態に係る情報を抽出し、前記抽出したユーザ名およびログイン形態と自通信装置に現在ログインしているユーザ名およびログイン形態を対比し、ユーザ名が一致すると共にログイン形態が前記第１の形態であったならば、現在のログインしている状態を強制的にログアウトさせることを特徴とする。
【発明の効果】
【０００７】
本発明によれば、来客、臨時会議、電話対応等の突発的な事情を含む各種の中断事由によって作業を中断した場合において、その後、外出などの理由により、作業中断前に使用していた装置での作業を中断したことを忘れたまま、プライベート用の装置を使用する場合でも、この別の通信装置にログインすることで、作業中断前に使用していた通信装置から強制ログオフされる。このため、この作業中断前に使用していた通信装置のログオフ操作が不要となり、ログオフ操作の煩わしさを低減できる。
【図面の簡単な説明】
【０００８】
【図１】図１は、本発明の一実施の形態に係るＩＰ電話システムの概略構成図である。
【図２】図２は、本実施の形態に係るＩＰ電話システムの第一の動作例を説明するためのシーケンス図である。
【図３】図３は、本実施の形態に係るＩＰ電話システムの第二の動作例を説明するためのシーケンス図である。
【図４】図４は、固定ＩＰ電話機１または線ＩＰ電話機２の機能構成図である。
【図５】図５は、ログイン／ログアウト管理部１０５のユーザ管理テーブル１０５０を模式的に表した図である。
【図６】図６は、ファイルダウンロード履歴一覧記憶部１１０のダウンロード履歴テーブル１１０１を模式的に表した図である。
【図７】図７は、固定ＩＰ電話機１または無線ＩＰ電話機２の動作を説明するためのフロー図である。
【発明を実施するための形態】
【０００９】
以下に、本発明の一実施の形態について説明する。
【００１０】
図１は、本実施の形態に係るＩＰ電話システムの概略構成図である。
【００１１】
図示するように、本実施の形態に係るＩＰ電話システムは、複数の固定ＩＰ電話機１−１〜１−ｎ（以下、単に固定ＩＰ電話機１とも呼ぶ）と、複数の無線ＩＰ電話機２−１〜２−ｍ（以下、単に無線ＩＰ電話機２とも呼ぶ）と、固定ＩＰ電話機１および無線ＩＰ電話機２を収容するＳＩＰ（Ｓｅｓｓｉｏｎ  Ｉｎｉｔｉａｔｉｏｎ  Ｐｒｏｔｏｃｏｌ）サーバ３と、を備える。
【００１２】
固定ＩＰ電話機１およびＳＩＰサーバ３は、ＬＡＮ４に接続され、無線ＩＰ電話機２は、無線アクセスポイント（ＡＰ）５を介してＬＡＮ４に接続している。また、ＬＡＮ４は、ゲートウェイ（ＧＷ）６を介してＷＡＮ７に接続されている。さらに、ＷＡＮ７には、ファイルサーバ８が接続されている。
【００１３】
固定ＩＰ電話機１または無線ＩＰ電話機２は、会社等のオフィス内および自宅の両方で使用可能なＩＰ電話機であり、固定ＩＰ電話機１または無線ＩＰ電話機２は、ＩＰ電話機能に加え、電子メール、Ｗｅｂブラウザ、ビジネスアプリケーション、ゲームアプリケーション等のソフトウエア実行機能およびこのソフトウエア実行機能に対するログイン／ログアウト機能を有している。固定ＩＰ電話機１および無線ＩＰ電話機２は、ログイン／ログアウト機能によりログイン状態にある場合にのみ、ユーザによるソフトウエア実行機能の利用を許可し、ログアウト状態の場合は、ユーザによるソフトウエア実行機能の利用を拒否する。
【００１４】
本実施の形態で説明するログイン形態の種類は、会社等のオフィス内で固定ＩＰ電話機１または無線ＩＰ電話機２を使用するためのログイン形態とするオフィシャルログインと、自宅で固定ＩＰ電話機１または無線ＩＰ電話機２を使用するためのログイン形態とするプライベートログインの２種類とする。
【００１５】
図２は、本実施の形態に係るＩＰ電話システムの第一の動作例を説明するためのシーケンス図である。
【００１６】
ここでは、３台の固定ＩＰ電話機１−１〜１−３および１台の無線ＩＰ電話機２−１がＳＩＰサーバ３に収容されている例を示している。
【００１７】
固定ＩＰ電話機１−１は、ユーザＮＹＣによってプライベートログインでログインされており（Ｓ１０１）、固定ＩＰ電話機１−２は、ユーザＩＴＬによってオフィシャルログインでログインされている状態で（Ｓ１０２）、固定ＩＰ電話機１−３および無線ＩＰ電話機２−１はログアウト状態にあるものとし（Ｓ１０３、Ｓ１０４）、ユーザＮＹＣが固定ＩＰ電話機１−１での作業を中断したまま、無線ＩＰ電話機２−１に固定ＩＰ電話機１−１とは異なるログイン形態でログインする場合の例である。
【００１８】
無線ＩＰ電話機２−１は、ユーザＮＹＣからオフィシャルログイン用のアカウント情報（ユーザＩＤおよびパスワード）によるログイン操作（以下、オフィシャルログイン操作と呼称）を受け付けると（Ｓ１０５）、このオフィシャルログイン用のアカウント情報に基づいてユーザ認証を行う。そして、ユーザ認証に成功したならば、無線ＩＰ電話機２−１は、ユーザＮＹＣのオフィシャルログインを許可する（Ｓ１０６）。それから、無線ＩＰ電話機２−１は、ログイン中のユーザ名（ここではＮＹＣ）と、そのログイン形態（ここではオフィシャルログイン）を含むログイン情報をＬＡＮ４上に同報送信する（Ｓ１０７）。
【００１９】
次に、オシャルログイン状態にある固定ＩＰ電話機１−２は、無線ＩＰ電話機２−１から同報送信されたログイン情報を受信し、このログイン情報に含まれているユーザ名が固定ＩＰ電話機１−２にログイン中のユーザ名（ここではＩＴＬ）と一致するか否かを判断する。
【００２０】
ここで、ログイン情報に含まれているユーザ名は「ＮＹＣ」であり、固定ＩＰ電話機１−２にログイン中のユーザ名は「ＩＴＬ」である為、両ユーザ名は一致しない。さらに、受信したログイン情報に含まれているログイン形態は「オフィシャルログイン」であり、固定ＩＰ電話機１−２もログイン形態は「オフィシャルログイン」である為、ログイン形態は一致する（Ｓ１０８）。この時、固定ＩＰ電話機１−２は、ログイン情報に含まれているユーザ名（ここではＮＹＣ）が、ログイン情報の送信元である無線ＩＰ電話機２−１を使用中である旨を表示する（Ｓ１０９）。
【００２１】
また、プライベートログイン状態にある固定ＩＰ電話機１−１は、固定ＩＰ電話機１−２と同様に、無線ＩＰ電話機２−１から同報送信されたログイン情報を受信し、このログイン情報に含まれているユーザ名が固定ＩＰ電話機１−１にログイン中のユーザ名（ここではＮＹＣ）と一致するか否かを判断する。
【００２２】
ここで、ログイン情報に含まれているユーザ名は「ＮＹＣ」であり、固定ＩＰ電話機１−１にログイン中のユーザ名も「ＮＹＣ」である為、両ユーザ名は一致する。さらに、受信したログイン情報に含まれているログイン形態は「オフィシャルログイン」であり、固定ＩＰ電話機１−１のログイン形態は「プライベートログイン」である為、ログイン形態は一致しない（Ｓ１１０）。この時、固定ＩＰ電話機１−１は、固定ＩＰ電話機１−１に対する着信を、留守録にするための留守録設定要求を、ＳＩＰサーバ３に送信する（Ｓ１１１）。それから、これを受けて、ＳＩＰサーバ３は、固定ＩＰ電話機１−１に対する着信の留守録を設定、開始する（Ｓ１１２）。
【００２３】
この後、固定ＩＰ電話機１−１は、プライベートログイン状態を強制ログアウトする（Ｓ１１３）。
【００２４】
図３は、本実施の形態に係るＩＰ電話システムの第二の動作例を説明するためのシーケンス図である。
【００２５】
ここでは、３台の固定ＩＰ電話機１−１〜１−３および１台の無線ＩＰ電話機２−１がＳＩＰサーバ３に収容されている例を示している。
【００２６】
固定ＩＰ電話機１−１は、ユーザＮＹＣによってオフィシャルログインでログインされており（Ｓ２０１）、固定ＩＰ電話機１−２は、ユーザＩＴＬによってプライベートログインでログインされている状態で（Ｓ２０２）、固定ＩＰ電話機１−３および無線ＩＰ電話機２−１はログアウト状態にあるものとし（Ｓ２０３、Ｓ２０４）、ユーザＮＹＣが固定ＩＰ電話機１−１にログインでの作業を中断したまま、無線ＩＰ電話機２−１に固定ＩＰ電話機１−１とは同じログイン形態でログインする場合の例である。
【００２７】
無線ＩＰ電話機２−１は、ユーザ（ＮＹＣ）からオフィシャルログイン操作を受け付けると（Ｓ２０５）、このオフィシャルログイン用のアカウント情報に基づいてユーザ認証を行う。
【００２８】
そして、ユーザ認証に成功したならば、無線ＩＰ電話機２−１は、オフィシャルログイン状態で動作を開始する（Ｓ２０６）。それから、無線ＩＰ電話機２−１は、自装置にログイン中のユーザ名（ここではＮＹＣ）と、ログイン中のログイン形態（ここではオフィシャルログイン）を含むログイン情報をＬＡＮ４上に同報送信する（Ｓ２０７）。
【００２９】
次に、固定ＩＰ電話機１−２は、無線ＩＰ電話機２−１から同報送信されたログイン情報を受信し、このログイン情報に含まれているユーザ名が固定ＩＰ電話機１−２にログイン中のユーザ名（ここではＩＴＬ）と一致するか否かを判断する。
【００３０】
ここで、ログイン情報に含まれているユーザ名は「ＮＹＣ」であり、固定ＩＰ電話機１−２にログイン中のユーザ名は「ＩＴＬ」である為、両ユーザ名は一致しない。さらに、受信したログイン情報に含まれているログイン形態は「オフィシャルログイン」であり、固定ＩＰ電話機１−２のログイン形態は「プライベートログイン」である為、ログイン形態は一致しない。この時、受信したログイン情報は破棄する（Ｓ２０８）。
【００３１】
また、固定ＩＰ電話機１−１は、固定ＩＰ電話機１−２と同様に、無線ＩＰ電話機２−１から同報送信されたログイン情報を受信するとこのログイン情報に含まれているユーザ名が固定ＩＰ電話機１−１にログイン中のユーザ名（ここではＮＹＣ）と一致するか否かを判断する。
【００３２】
ここで、ログイン情報に含まれているユーザ名は「ＮＹＣ」であり、固定ＩＰ電話機１−１にログイン中のユーザ名も「ＮＹＣ」である為、両ユーザ名は一致する。さらに、受信したログイン情報に含まれているログイン形態は「オフィシャルログイン」であり、固定ＩＰ電話機１−２のログイン形態は「オフィシャルログイン」である為、ログイン形態も一致する（Ｓ２０９）。この時、固定ＩＰ電話機１−１は、現在のログイン形態で動作中にダウンロードしたファイルのファイルダウンロード履歴一覧を生成し（Ｓ２１０）、無線ＩＰ電話機２−１にファイルダウンロード履歴一覧を送信する（Ｓ２１１）。
【００３３】
ファイルダウンロード履歴一覧を受信した無線ＩＰ電話機２−１は、受信したファイルダウンロード履歴一覧と、自通信装置内で記憶しているファイルダウンロード履歴一覧とを比較する（Ｓ２１２）。その後、自通信装置内で記憶しているファイルダウンロード履歴一覧の内、未ダウンロードファイルを抽出し、ファイルのダウンロードをファイルサーバ８に対して行う（Ｓ２１３、Ｓ２１４）。ファイルのダウンロードが完了すると、自装置内のファイルダウンロード履歴一覧を更新する（Ｓ２１５）。
【００３４】
一方で、固定ＩＰ電話機１−１は、ファイルダウンロード履歴一覧を送信後、固定ＩＰ電話機１−１に対する着信を、無線ＩＰ電話機１−２に転送するための着信転送設定要求を、ＳＩＰサーバ３に送信する（Ｓ２１６）。これを受けて、ＳＩＰサーバ３は、固定ＩＰ電話機１−１に対する着信の転送を設定、開始する（Ｓ２１７）。
【００３５】
この後、固定ＩＰ電話機１−１は、オフィシャルログイン状態を強制ログアウトする（Ｓ２１８）。
【００３６】
図４は、固定ＩＰ電話機１または無線ＩＰ電話機２の機能構成図である。
【００３７】
図示するように、固定ＩＰ電話機１または無線ＩＰ電話機２は、通信インターフェース部１０１と、マンマシンインターフェース部１０２と、ＩＰ電話処理部１０３と、ソフトウエア実行部１０４と、ログイン／ログアウト管理部１０５と、ログイン情報送受信部１０６と、ログイン先通知部１０７と、強制ログアウト制御部１０８と、留守録・着信転送設定要求部１０９と、ファイルダウンロード履歴一覧記憶部１１０と、ファイルダウンロード管理部１１１と、ダウンロード履歴一覧送受信部１１２と、備えている。
【００３８】
通信インターフェース部１０１は、他の固定ＩＰ電話機１、他の無線ＩＰ電話機２、ＳＩＰサーバ３、ファイルサーバ８等と通信するためのインターフェースである。自ＩＰ電話機が固定ＩＰ電話機１の場合、通信インターフェース部１０１は、ＬＡＮ４に接続するためのインターフェースとなり、自ＩＰ電話機が無線ＩＰ電話機２の場合、通信インターフェース部１０１は、無線ＡＰ５に接続するためのインターフェースとなる。
【００３９】
マンマシンインターフェース部１０２は、電話用のハンドセット、ユーザに各種情報を表示するためのＬＣＤ等の表示パネル、およびユーザから各種操作を受け付けるためのキーボード、タッチセンサ等の操作パネルを備える。
【００４０】
ＩＰ電話処理部１０３は、ＳＩＰに従って発着信制御を行うとともに、ＲＴＰ（Ｒｅａｌ  Ｔｉｍｅ  Ｔｒａｎｓｐｏｒｔ  Ｐｒｏｔｏｃｏｌ）に従って通話制御を行うことにより、通信インターフェース部１０１およびマンマシンインターフェース部１０２と連携して、ＩＰ電話機能を実現する。
【００４１】
ソフトウエア実行部１０４は、ＯＳ（Ｏｐｅｒａｔｉｎｇ  Ｓｙｓｔｅｍ）に従い、電子メール、Ｗｅｂブラウザ、ビジネスアプリケーション、ゲームアプリケーション等のアプリケーションソフトを実行するソフトウエア実行機能を実現する。
【００４２】
ログイン／ログアウト管理部１０５は、ユーザ名毎に当該ユーザが自ＩＰ電話機にオフィシャルログインまたはプライベートログインする際のユーザ認証のためのユーザＩＤとパスワードを記憶するユーザ管理テーブル１０５０を持ち、ソフトウエア実行部１０４に対するログイン／ログアウトを管理する。次に図５を用いて、ユーザ管理テーブル１０５０について説明する。
【００４３】
図５は、ログイン／ログアウト管理部１０５のユーザ管理テーブル１０５０を模式的に表した図である。
【００４４】
図示するように、ユーザ管理テーブル１０５０は、ユーザ名を登録するフィールド１０５１と、ログイン形態を登録するフィールド１０５２と、自ＩＰ電話端末を操作するユーザのユーザＩＤを登録するフィールド１０５３と、パスワードを登録するフィールド１０５４と、ログイン状態を登録するフィールド１０５５と、を有する。
【００４５】
ユーザＩＤのフィールド１０５３と、パスワードのフィールド１０５４は、ログイン形態のフィールド１０５２毎に登録される。
【００４６】
ログイン／ログアウト管理部１０５は、フィールド１０５５がログアウト中の場合に、マンマシンインターフェース部１０２を介してユーザからログイン操作を受け付けた場合、このログイン操作で受け付けたアカウント情報（ユーザＩＤとパスワード）が、フィールド１０５２に登録されているいずれかのログイン形態の内、フィールド１０５３に登録されているユーザＩＤとフィールド１０５４に登録されているパスワードであるかを判定し、ログイン形態を特定する。ログイン形態を特定するとアカウント情報を用いてユーザ認証を行い、ユーザ認証に成功したならば、マンマシンインターフェース部１０２およびソフトウエア実行部１０４間の接続を有効にして、ユーザによるソフトウエア実行部１０４の利用を許可する（ログイン）。その時、フィールド１０５５をログイン中に変更する。また、ログイン／ログアウト管理部１０５は、フィールド１０５５がログイン中の場合に、マンマシンインターフェース部１０２を介してユーザからログアウト操作を受け付けた場合、あるいは、後述する強制ログアウト制御部１０８から強制ログアウト指示を受け付けた場合、マンマシンインターフェース部１０２およびソフトウエア実行部１０４間の接続を無効にして、以後、ユーザによるソフトウエア実行部１０４の利用を拒否する（ログアウト）。その時、フィールド１０５５をログアウト中に変更する。
【００４７】
ログイン情報送受信部１０６は、ログイン／ログアウト管理部１０５の指示に従い、自ＩＰ電話機にログイン中のユーザ名と、ログイン中のログイン形態を含むログイン情報を生成して、このログイン情報をＬＡＮ４上に同報送信する。また、ログイン情報送受信部１０６は、通信インターフェース部１０１を介して他の固定ＩＰ電話機１または無線ＩＰ電話機２からログイン情報を受信した場合に、ログイン／ログアウト管理部１０５のユーザ管理テーブル１０５０を参照し、フィールド１０５５がログイン中となっているログイン形態をフィールド１０５２から特定し、該当するユーザ名をフィールド１０５１より特定する。その後、受信したログイン情報に含まれているユーザ名が、フィールド１０５１より特定したユーザ名と同一であるか否かを判断する。さらにこのログイン情報に含まれているログイン形態が、フィールド１０５２から特定したログイン形態と同一であるか否かを判断する。
【００４８】
そして、ログイン情報に含まれているユーザ名と自ＩＰ電話機にログイン中のユーザ名が同一の場合、ログイン情報送受信部１０６は、このログイン情報を強制ログオフ制御部１０８に通知する。
【００４９】
また、ログイン情報に含まれているユーザ名と自ＩＰ電話機にログイン中のユーザ名が同一ではない場合、かつログイン情報に含まれているログイン形態が自ＩＰ電話機にログイン中のログイン形態と同じ場合、ログイン情報送受信部１０６は、このログイン情報をログイン先通知部１０７に通知する。
【００５０】
ログイン先通知部１０７は、ログイン情報送受信部１０６からログイン情報を受信した場合に、このログイン情報に含まれているユーザ名が、ログイン情報の送信元のＩＰ電話機（固定ＩＰ電話機１あるいは無線ＩＰ電話機２）を利用中である旨をマンマシンインターフェース部１０２に表示する。
【００５１】
強制ログアウト制御部１０８は、ログイン情報送受信部１０６からログイン情報を受信した場合に、このログイン情報に含まれているユーザ名の強制ログアウトをログイン／ログアウト管理部１０５に対して指示するとともに、このログイン情報を、留守録・着信転送設定要求部１０９、ファイルダウンロード管理部１１１に対して通知する。
【００５２】
留守録・着信転送設定要求部１０９は、強制ログアウト制御部１０８からログオン情報を受信した場合に、このログオフ情報の送信元である他の固定ＩＰ電話機１あるいは無線ＩＰ電話機２に自ＩＰ電話機に対する着信を転送するための着信転送設定要求を生成し、この着信転送設定要求を、通信インターフェース部１０１を介してＳＩＰサーバ３に送信する。
【００５３】
留守録・着信転送設定要求部１０９は、さらに、強制ログアウト制御部１０８からログイン情報を受信した場合に、このログアウト情報の送信元である他の固定ＩＰ電話機１あるいは無線ＩＰ電話機２に自ＩＰ電話機に対する着信を留守録するための留守録設定要求を生成し、この留守録設定要求を、通信インターフェース部１０１を介してＳＩＰサーバ３に送信する。
【００５４】
ファイルダウンロード履歴一覧記憶部１１０は、ユーザ毎に、ログイン中にダウンロードしたファイルのダウンロード履歴を登録するダウンロード履歴テーブル１１０１を持つ。次に図６を用いてダウンロード履歴テーブル１１０１について説明する。
【００５５】
図６は、ファイルダウンロード履歴一覧記憶部１１０のダウンロード履歴テーブル１１０１を模式的に表した図である。
【００５６】
図示するように、ダウンロード履歴テーブル１１０１は、自ＩＰ電話機にログイン可能なユーザ毎に、ユーザ名１１００に対応付けられて記憶されている。
【００５７】
ダウンロード履歴テーブル１１０１には、対象ユーザがログイン中にダウンロードしたファイル毎にレコード１１０２が登録される。レコード１１０２は、ファイルのダウンロード履歴を登録するフィールド１１０３を有する。フィールド１１０３は、ファイル名を登録するサブフィールド１１０３１と、ファイル種別を登録するサブフィールド１１０３２と、ファイルサイズを登録するサブフィールド１１０３３と、ファイルのダウンロード日時を登録するサブフィールド１１０３４と、ファイルのダウンロード元アドレスを登録するサブフィールド１１０３５と、ファイルをダウンロードする為のアカウント情報を登録するサブフィールド１１０３６と、ファイルのダウンロードを行った時の自通信装置のログイン形態を登録するサブフィールド１１０３７と、を有する。
【００５８】
ファイルダウンロード管理部１１１は、ソフトウエア実行部１０４によるファイルサーバ８等へのアクセスを監視しており、ソフトウエア実行部１０４が通信インターフェース部１０１を介して所定のファイルをダウンロードしたならば、ソフトウエア実行部１０４にログイン中のユーザのユーザ名１１００に対応付けられているダウンロード履歴テーブル１１０１をファイルダウンロード履歴一覧記憶部１１０から特定して、ダウンロード履歴テーブル１１０１に新たなレコード１１０２を追加する。そして、この追加したレコード１１０２のフィールド１１０３のサブフィールド１１０３１〜１１０３６に、ダウンロードされたファイルのファイル名、ファイル種別、ファイルサイズ、およびダウンロード日時、ファイルのダウンロード元アドレス、およびダウンロードにアカウント情報が必要な場合にはそのアカウント情報を登録する。
【００５９】
また、ファイルダウンロード管理部１１１は、強制ログアウト制御部１０８からログイン情報を受信した場合に、このログイン情報に含まれているユーザ名と、このユーザ名に対応付けられて処理内容一覧情報記憶部１１０に記憶されたテーブル１１０１に登録されているレコード１１０２であって、ログイン情報に含まれているログイン形態に一致するサブフィールド１１０３７と、サブフィールド１１０３４にログイン後の日時が登録されているレコード１１０２と、を含むファイルダウンロード履歴一覧情報を生成する。そして、このファイルダウンロード履歴一覧情報をログイン情報の送信元アドレスとともにファイルダウンロード履歴一覧送受信部１１２に通知する。
【００６０】
また、ファイルダウンロード管理部１１１は、ファイルダウンロード履歴一覧送受信部１１２からファイルダウンロード履歴一覧を受信した場合に、受信したファイルダウンロード履歴一覧情報に含まれている各レコード１１０２の中から、自通信装置に記憶されているダウンロード履歴テーブル１１０１に登録されている各レコード１１０２には記憶されていないレコード１１０２を抽出する。
【００６１】
それから、ファイルダウンロード管理部１１１は、ソフトウエア実行部１０４を制御し、抽出したレコード１１０２のフィールド１１０３のサブフィールド１１０３６に登録されているアドレスにアクセスさせて、抽出したレコード１１０２のフィールド１１０３のサブフィールド１１０３１〜１１０３３に登録されているファイル名、ファイル種別およびファイルサイズにより特定されるファイルをダウンロードする。
【００６２】
ファイルダウンロード履歴一覧送受信部１１２は、ファイルダウンロード管理部１１１からファイルダウンロード履歴一覧をログイン情報の送信元アドレスとともに受け取ったならば、通信インターフェース部１０１を介して、この送信元アドレスにより特定される他の固定ＩＰ電話機１または無線ＩＰ電話機２に、このファイルダウンロード履歴一覧を送信する。
【００６３】
また、ファイルダウンロード履歴一覧送受信部１１２は、通信インターフェース部１０１を介して、他の固定ＩＰ電話機１または無線ＩＰ電話機２からソフトウエア実行部１０４にログイン中のユーザのユーザ名を含むファイルダウンロード履歴一覧を受信したならば、このファイルダウンロード履歴一覧をファイルダウンロード管理部１１１に渡す。
【００６４】
図７は、固定ＩＰ電話機１または無線ＩＰ電話機２の動作を説明するためのフロー図である。
【００６５】
ログイン／ログアウト管理部１０５は、マンマシンインターフェース部１０２を介してユーザからログイン操作を受け付けると（Ｓ７０１でＹＥＳ）、このログイン操作を介してユーザより受け付けたアカウント情報に基づいてユーザ認証を行う（Ｓ７０２）。具体的には、ユーザより受け付けたアカウント情報が、ログインを許可するユーザのアカウント情報として予め登録されているか否かを判断する。そして、ユーザ認証に失敗したならば（Ｓ７０３でＮＯ）、その旨をマンマシンインターフェース部１０２に表示するなどの所定のエラー処理を行い、それからＳ７０１に戻って、新たなログイン操作を待つ。
【００６６】
一方、ユーザ認証に成功した場合（Ｓ７０３でＹＥＳ）、ログイン／ログアウト管理部１０５は、ログオン形態を判定しログイン処理を実施する（Ｓ７０４）。これにより、ユーザによるソフトウエア実行部１０４の利用がログオン形態ごとに可能になる。
【００６７】
次に、ログイン／ログアウト管理部１０５は、ログイン情報送受信部１０６に対して、自ＩＰ電話機にログイン中のユーザ名と、現在のログイン形態を含むログイン情報の送信を指示する。これを受けて、ログイン情報送受信部１０６は、ログイン中のユーザ名と、現在のログイン形態を含むログイン情報を生成して、このログイン情報をＬＡＮ４上に同報送信する（Ｓ７０５）。
【００６８】
次に、ファイルダウンロード履歴一覧送受信部１１２は、ログイン／ログアウト管理部１０５によってユーザのログインが許可されてから所定時間の経過によりタイムアウトするまでの間（Ｓ７１０）、通信インターフェース部１０１を介して他の固定ＩＰ電話機１あるいは無線ＩＰ電話機２から、ログイン中のユーザのログイン形態と当該ログイン形態に対応するユーザ名を含むファイルダウンロード履歴一覧が送られてくるのを待つ（Ｓ７０６）。そして、ファイルダウンロード履歴一覧送受信部１１１は、ログイン中のユーザの現在のログイン形態に一致するログイン形態と当該ログイン形態に対応するユーザ名を含むファイルダウンロード履歴一覧を受信したならば（Ｓ７０６でＹＥＳ）、このファイルダウンロード履歴一覧をファイルダウンロード管理部１１１に渡す。
【００６９】
これを受けて、ファイルダウンロード管理部１１１は、このファイルダウンロード履歴一覧と自ＩＰ電話機に記憶済みのファイルダウンロード履歴テーブル１１０１を比較し（Ｓ７０７）、受信したファイルダウンロード履歴一覧に自通信装置のファイルダウンロード履歴テーブル１１０１のレコード１１０２に記憶していないファイルダウンロード履歴があるか否かを特定する（Ｓ７０８）。
【００７０】
具体的には、受信したファイルダウンロード履歴一覧に含まれている各レコード１１０２の中から、自通信装置に記憶されているダウンロード履歴テーブル１１０１に登録されている各レコード１１０２には記憶されていないレコード１１０２を抽出する。それから、ファイルダウンロード管理部１１１は、ソフトウエア実行部１０４を制御し、抽出したレコード１１０２のフィールド１１０３のサブフィールド１１０３６に登録されているアドレスにアクセスさせて、抽出したレコード１１０２のフィールド１１０３のサブフィールド１１０３１〜１１０３３に登録されているファイル名、ファイル種別およびファイルサイズにより特定されるファイルをダウンロードする（Ｓ７０９）。
【００７１】
さて、ファイルダウンロード管理部１１１は、ソフトウエア実行部１０４によるファイルサーバ８へのアクセスを監視しており、ユーザ操作によってソフトウエア実行部１０４が通信インターフェース部１０１を介してファイルがダウンロードされたならば（Ｓ７１１でＹＥＳ）、ダウンロードしたファイルに基づいて、ログイン中のユーザのユーザ名１１００に対応付けられてファイルダウンロード履歴一覧記憶部１１０に記憶されているファイルダウンロード履歴テーブル１１０１を更新する（Ｓ７１２）。具体的には、このファイルダウンロード履歴テーブル１１０１に新たなレコード１１０２を追加し、このレコード１１０２のフィールド１１０３のサブフィールド１１０３１〜１１０３７に、ダウンロードされたファイルのファイル名、ファイル種別、ファイルサイズ、ダウンロード日時、ファイルのダウンロード元アドレス、ファイルをダウンロードする為のアカウント情報、ダウンロード時のログイン形態を登録する。
【００７２】
また、ログイン情報送受信部１０６は、通信インターフェース部１０１を介して他の固定ＩＰ電話機１または無線ＩＰ電話機２からログイン情報を受信したならば（Ｓ７１３でＹＥＳ）、ログイン／ログアウト管理部１０５のユーザ管理テーブル１０５０を参照し、フィールド１０５５がログイン中となっているログイン形態をフィールド１０５２から特定し、該当するユーザ名をフィールド１０５１より特定する。その後、受信したログイン情報に含まれているユーザ名が、フィールド１０５１より特定したユーザ名と同一であるか否かを判断する。（Ｓ７１４）。
【００７３】
受信したログイン情報に含まれているユーザ名とログイン中のユーザ名とが不一致の場合には（Ｓ７１４でＮＯ）、ログイン情報に含まれているログイン形態が自ＩＰ電話機にログイン中のログイン形態と同じである場合に（Ｓ７１５でＹＥＳ）、このログイン情報をログイン先通知部１０７に通知する。これを受けて、ログイン先通知部１０７は、このログイン情報に含まれているユーザ名により特定されるユーザが、ログイン情報の送信元のＩＰ電話機（固定ＩＰ電話機１または無線ＩＰ電話機２）を利用中である旨をマンマシンインターフェース部１０２に表示する（Ｓ７１６）。
【００７４】
ステップ７１５でＮＯの場合およびステップ７１６の後、ログイン／ログアウト管理部１０５は、ログインされている場合に、マンマシンインターフェース部１０２を介してユーザからログアウト操作を受け付けると（Ｓ７１７でＹＥＳ）、ＩＰ電話機のログアウトを実行する（Ｓ２１８）。これにより、ユーザによるソフトウエア実行部１０４の利用が不可能になる。その後、Ｓ７０１に戻って、新たなログイン操作を待つ。
【００７５】
一方、受信したログイン情報に含まれているユーザ名とログオン中のユーザ名と同一のユーザである場合（Ｓ７１４でＹＥＳ）、ログイン情報に含まれているログイン形態が自ＩＰ電話機にログイン中のユーザのログイン形態が同じである場合に（Ｓ７１９でＹＥＳ）、テーブル１１０１に対応付けられているユーザ名と、このユーザ名に対応付けられてファイルダウンロード履歴一覧記憶部１１０に記憶されたテーブル１１０１に登録されているレコード１１０２であって、ログイン情報に含まれているログイン形態と、このログイン形態に一致するサブフィールド１１０３７と、サブフィールド１１０３４にログイン後の日時が登録されているレコード１１０２と、を含むファイルダウンロード履歴一覧を生成する。そして、このファイルダウンロード履歴一覧をログオン情報の送信元アドレスとともにファイルダウンロード履歴一覧送受信部１１２に通知する。これを受けて、ファイルダウンロード履歴一覧送受信部１１２は、通信インターフェース部１０１を介して、この送信元アドレスにより特定される他の固定ＩＰ電話機１あるいは無線ＩＰ電話機２に、このファイルダウンロード履歴一覧を送信する（Ｓ７２０）。その後、ＩＰ電話機に対する着信を、強制ログアウト制御部１０８から受信したログイン情報の送信元である他の固定ＩＰ電話機１または無線ＩＰ電話機２に転送するための着信転送設定要求を生成し、この着信転送設定要求を、通信インターフェース部１０１を介してＳＩＰサーバ３に送信する（Ｓ７２１）。
【００７６】
ログイン情報に含まれているログイン形態が自ＩＰ電話機にログイン中のユーザのログイン形態と同じではない場合に（Ｓ７１９でＮＯ）、ＩＰ電話機に対する着信を、留守録するための留守録設定要求を生成し、この留守録設定要求を、通信インターフェース部１０１を介してＳＩＰサーバ３に送信する（Ｓ７２０）。
【００７７】
その後、ログイン情報送受信部１０６は、このログイン情報を強制ログアウト制御部１０８に通知する。これを受けて、強制ログアウト制御部１０８は、ログイン／ログアウト管理部１０５に対して、このログイン情報に含まれているユーザ名により特定されるユーザの強制ログアウトを実行する（Ｓ７１７）。これにより、ユーザによるソフトウエア実行部１０４の利用が不可能になる。
【００７８】
以上、本発明の実施の形態を説明した。
【００７９】
本実施の形態において、固定ＩＰ電話機１または無線ＩＰ電話機２は、ログイン時に、ログインしたユーザ名とログイン形態を含むログイン情報をＬＡＮ４上に同報送信する。また、ログイン状態において他の固定ＩＰ電話機１または無線ＩＰ電話機２からログイン情報を受信した場合に、このログイン情報に含まれているユーザ名がログイン中のユーザ名と同一のユーザのものであるならば、強制的にログアウトする。
【００８０】
このため、本実施の形態によれば、ユーザが、ログイン中の固定ＩＰ電話機１または無線ＩＰ電話機２を外出などの理由により、作業中断前に使用していた装置での作業を中断したことを忘れた場合でも、別の固定ＩＰ電話機１または無線ＩＰ電話機２にログインすることで、作業中断前に使用していた固定ＩＰ電話機１または無線ＩＰ電話機２から強制ログアウトされる。したがって、この作業中断前に使用していた固定ＩＰ電話機１または無線ＩＰ電話機２のログアウト操作が不要となり、ログアウト操作の煩わしさを低減できる。
【００８１】
また、作業を行っていた固定ＩＰ電話機１または無線ＩＰ電話機２からのログアウトを忘れてしまっていても、いずれか別の固定ＩＰ電話機１または無線ＩＰ電話機２にログインすれば、作業を行っていた固定ＩＰ電話機１または無線ＩＰ電話機２から自動的にログアウトされるため、作業を行っていない固定ＩＰ電話機１または無線ＩＰ電話機２がログイン状態のまま放置されることを防止できる。
【００８２】
また、本実施の形態において、固定ＩＰ電話機１または無線ＩＰ電話機２は、ログイン中にファイルサーバ８からダウンロードしたファイルに基づいて、ログイン中のユーザのユーザ名１１００に対応付けられてファイルダウンロード履歴一覧記憶部１１０に記憶されているファイルダウンロード履歴テーブル１１０１を更新する。そして、他の固定ＩＰ電話機１または無線ＩＰ電話機２から受信したログイン情報に基づきユーザの強制ログアウトを実行した場合に、このユーザ名に対応付けられてファイルダウンロード履歴一覧記憶部１１０に記憶されたテーブル１１０１に登録されているレコード１１０２であって、ログイン情報に含まれているログイン形態と、このログイン形態に一致するサブフィールド１１０３７と、サブフィールド１１０３４にログイン後の日時が登録されているレコード１１０２と、を含むファイルダウンロード履歴一覧を生成する。そして、このファイルダウンロード履歴一覧をログイン情報の送信元に送信する。また、固定ＩＰ電話機１および無線ＩＰ電話機２は、ユーザのログイン中に、ファイルダウンロード履歴一覧を受信したならば、自固定ＩＰ電話機１あるいは無線ＩＰ電話機２へのログイン前にユーザが使用していた他の固定ＩＰ電話機１または無線ＩＰ電話機２にダウンロードされたファイルのうち、自ＩＰ電話機１、２にダウンロードされていないファイルを特定し、このファイルを自動でダウンロードする。
【００８３】
したがって、本実施の形態によれば、作業中断前に使用していた固定ＩＰ電話機１または無線ＩＰ電話機２のログイン形態と、別の固定ＩＰ電話機１または無線ＩＰ電話機２を用いる場合のログイン形態が同じであるならば、作業中断前にダウンロードしたファイルを自動でダウンロードするので、ユーザが作業準備の負担をより軽減できる。
【００８４】
また、上記の実施の形態において、図４に示す固定ＩＰ電話機１または無線ＩＰ電話機２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００８５】
また、上記の実施の形態では、本発明を固定ＩＰ電話機１または無線ＩＰ電話機２に適用した場合を例にとり説明したが、本発明は、固定電話機、無線電話機を含む、ログイン／ログアウト機能を備えた様々な通信装置に適用可能である。
【符号の説明】
【００８６】
１、１−１〜１−ｎ：固定ＩＰ電話機、１０１：通信インターフェース部、１０２：マンマシンインターフェース部、１０３：ＩＰ電話処理部、１０４：ソフトウエア実行部、１０５：ログイン／ログアウト管理部、１０６：ログイン情報送受信部、１０７：ログイン先通知部、１０８：強制ログアウト制御部、１０９：留守録・着信転送設定要求部、１１０：処理内容一覧情報記憶部、１１１：ファイルダウンロード管理部、１１２：処理内容一覧情報送受信部、２、２−１〜２−ｍ：無線ＩＰ電話機、３：ＳＩＰサーバ、４：ＬＡＮ、  ５：無線アクセスポイント、６：ゲートウェイ、７：ＷＡＮ、８：ファイルサーバ。
【図１】
2017199945.tif 000003
【図２】
2017199945.tif 000004
【図３】
2017199945.tif 000005
【図４】
2017199945.tif 000006
【図５】
2017199945.tif 000007
【図６】
2017199945.tif 000008
【図７】
2017199945.tif 000009